(57)【要約】      （修正有）【課題】  使用時にはコンソール部から引き出して使用することのできるドリンク用ホルダー装置を提供する。【解決手段】  本発明のドリンク用ホルダー装置は、一対の扇形形状の側板部５ａと底板部５ｂとで小物収納空間が形成された後方側小物入れ枠体５と、一対の扇形形状の側板部６ａと蓋板部６ｂとで小物収納空間が形成された先方側小物入れ枠体６と、小物入れ枠体５、６間に存在する一対の扇形状の側板部７ａと側板部７ａを連結しかつドリンクボトルを保持する保持 開口が形成された上板部７ｂを有するドリンクホルダー保持枠体７とを備え、小物入れ枠体５，６とドリンクホルダー保持枠体７とが側板部の円弧中心部分を中心に回動可能とされ、ドリンクホルダー枠体７は連動するように先方側小物入れ枠体６に連係され、後方側小物入れ枠体５は連動するようにドリンクホルダー枠体７に連係されている。【選択図】  図２
2006036058.tif 000002
【特許請求の範囲】
【請求項１】
一対の扇形形状の側板部と該一対の側板部を連結する底板部とにより小物収納空間が形成されると共に一対の側板部間が小物出し入れ口とされた後方側小物入れ枠体と、一対の扇形形状の側板部と該一対の側板部を連結しかつコンソール部の上面に形成された開口を開閉する蓋板部とにより小物収納空間が形成されると共に一対の側板部間が小物出し入れ口とされた先方側小物入れ枠体と、前記後方側小物入れ枠体と前記先方側小物入れ枠体との間に存在する一対の扇形状の側板部と該一対の扇形状の側板部を連結しかつドリンクボトルを保持する保持開口が形成された上板部を有するドリンクホルダー保持枠体とを備え、
前記先方側小物入れ枠体と前記ドリンクホルダー保持枠体と前記後方側小物入れ枠体とが前記扇形状の一対の側板部の円弧中心部分を中心に回動可能とされ、
前記ドリンクホルダー枠体は前記先方側小物入れ枠体の回動に連動して引き出されかつ収納されるように該先方側小物入れ枠体に連係され、前記後方側小物入れ枠体は前記ドリンクホルダー枠体の回動に連動して引き出されかつ収納されるように該ドリンクホルダー枠体に連係されていることを特徴とするドリンク用ホルダー装置。
【請求項２】
前記ドリンクホルダー枠体は前記後方側小物入れ枠体に対する連係解除手段が設けられ、前記上板部は前記先方側小物入れ枠体の一対の側板部の上方を旋回可能に湾曲形状とされ、前記先方側小物入れ枠体の一対の側壁部と前記後方側小物入れ枠体の一対の側壁部と協働して前記上板部により保持されるドリンクホルダーの大きさよりも大きなドリンクホルダーを保持することを特徴とする請求項１に記載のドリンク用ホルダー装置。
【請求項３】
前記先方側小物入れ枠体と前記後方側小物入れ枠体との少なくとも一方には、前記出し入れ口を開閉するシャッター部材が設けられていることを特徴とする請求項１に記載のドリンク用ホルダー装置。
【発明の詳細な説明】
【技術分野】
【０００１】
本発明は、多機能用途を有するドリンク用ホルダー装置に関する。
【背景技術】
【０００２】
従来から、車両用のドリンク用ホルダー装置には、センターコンソール部にカップホルダー収納ボックスを設け、このカップホルダー収納ボックスにカップホルダーを収納する構成のものが知られている（例えば、特許文献１参照。）。
【特許文献１】特開２００２−１４４９１７号公報
【発明の開示】
【発明が解決しようとする課題】
【０００３】
しかしながら、この従来のドリンク用ホルダー装置では、カップホルダーのみしか保持できなくて他の用途に使用できず、その保持できるカップホルダーの大きさも限られており、使い勝手上不便である。
【０００４】
本発明は、上記の事情に鑑みて為されたもので、使わないときにはコンソール部に格納することができ、使うときには用途に応じて簡便にコンソール部から引き出して使用することのできるドリンク用ホルダー装置を提供することにある。
【課題を解決するための手段】
【０００５】
請求項１に記載のドリンク用ホルダー装置は、一対の扇形形状の側板部と該一対の側板部を連結する底板部とにより小物収納空間が形成されると共に一対の側板部間が小物出し入れ口とされた後方側小物入れ枠体と、一対の扇形形状の側板部と該一対の側板部を連結しかつコンソール部の上面に形成された開口を開閉する蓋板部とにより小物収納空間が形成されると共に一対の側板部間が小物出し入れ口とされた先方側小物入れ枠体と、前記後方側小物入れ枠体と前記先方側小物入れ枠体との間に存在する一対の扇形状の側板部と該一対の扇形状の側板部を連結しかつドリンクボトルを保持する保持開口が形成された上板部を有するドリンクホルダー保持枠体とを備え、
前記先方側小物入れ枠体と前記ドリンクホルダー保持枠体と前記後方側小物入れ枠体とが前記扇形状の一対の側板部の円弧中心部分を中心に回動可能とされ、
前記ドリンクホルダー枠体は前記先方側小物入れ枠体の回動に連動して引き出されかつ収納されるように該先方側小物入れ枠体に連係され、前記後方側小物入れ枠体は前記ドリンクホルダー枠体の回動に連動して引き出されかつ収納されるように該ドリンクホルダー枠体に連係されていることを特徴とする。
【０００６】
請求項２に記載のドリンク用ホルダー装置は、前記ドリンクホルダー枠体は前記後方側小物入れ枠体に対する連係解除手段が設けられ、前記上板部は前記先方側小物入れ枠体の一対の側板部の上方を旋回可能に湾曲形状とされ、前記先方側小物入れ枠体の一対の側壁部と前記後方側小物入れ枠体の一対の側壁部と協働して前記上板部により保持されるドリンクホルダーの大きさよりも大きなドリンクホルダーを保持することを特徴とする。
【０００７】
請求項３に記載のドリンク用ホルダー装置は、前記先方側小物入れ枠体と前記後方側小物入れ枠体との少なくとも一方には、前記出し入れ口を開閉するシャッター部材が設けられていることを特徴とする。
【発明の効果】
【０００８】
本発明に係わるドリンク用ホルダー装置によれば、種類の異なるドリンクボトルを安定して保持することができると共に、ドリンクボトルの保持以外にも小物入れに用いることができるという効果を奏する。
【０００９】
また、本発明に係わるドリンク用ホルダー装置によれば、使うときには蓋部材を持ち上げるとコンソール部からアコーディオン式に簡単に引き出すことができ、また、コンソール部に格納するときには蓋部材を持ってアコーディオン式に押し込むと容易にコンソール部に格納することができる。
【発明を実施するための最良の形態】
【００１０】
以下に、本発明に係わる発明の実施の形態を図面を参照しつつ説明する。
【実施例】
【００１１】
図１において、１は乗用車両のセンターコンソール部である。そのセンターコンソール部１はインストルメントパネル部（図示を略す）から運転席２と助手席３との間の隙間を通って車両後方に向かって延びている。この図１にはインストルメントパネル部と運転席２との間のセンターコンソール部１が示されている。
【００１２】
そのセンターコンソール部１の上部にはドリンク用ホルダー装置４が設けられている。このドリンク用ホルダー装置４は、図２、図３に示すように、後方側小物入れ枠体５と、先方側小物入れ枠体６と、後方側小物入れ枠体５と先方側小物入れ枠体６との間に存在するドリンクホルダー保持枠体７とを備えている。
【００１３】
このドリンク用ホルダー装置４は、使用しないときには図１、図４に示すようにアコーディオン式に折り畳んでセンターコンソール部１の内部空間に収容され、使用するときには図２、図３に示すようにアコーディオン式に引き出されてセンターコンソール部１の上壁１ａに位置されるものである。そのセンターコンソール部１の上壁１ａには矩形状の開口８と矩形状の凹所９とが形成されている。その開口８はそのドリンク用ホルダー装置４の出し入れ口として用いられる。
【００１４】
その開口８は車両前方側に位置され、凹所９は車両後方側に位置されている。その上壁１ａの開口８を構成する周壁部のうち、車幅方向に間隔を開けて対向する周壁には、図１、図２に示すように凹所９の近傍に互いに対向する一対の回動支持ピン１０が設けられている。上壁１ａの開口８を構成する周壁のうち車両前方側を構成する周壁には段差部１ｂが形成されている。
【００１５】
後方側小物入れ枠体５は、図５に分解して示すように一対の扇形形状の側板部５ａ、５ａを有する。その一対の側板部５ａ、５ａの半径方向辺部には、側板部５ａ、５ａを連結すると共に底板として機能する底板部５ｂが設けられている。その底板部５ｂにはその扇形状の略中心部分に嵌合穴５ｃが形成されている。この嵌合穴５ｃは回動支持ピン１０に嵌合されている。その側板部５ａ、５ａにはその回動中心から遠い側であって底板部５ｂとは反対側の半径方向辺部に連結枠部５ｄが掛け渡されている。その一対の側板部５ａ、５ａと底板部５ｂと連結枠部５ｄとの間は小物出し入れ口５ｅとされている。
【００１６】
その底板部５ｂにはその車幅方向側壁に係合ピン５ｆが出入可能に設けられている。この係合ピン５ｆは外側に向かって図示を略すバネ手段によって突出付勢されている。開口８を構成する周壁のうち車幅方向に間隔を開けて対向する周壁に、図６（ａ）、（ｂ）に示すように係合ピン５ｆと対応する位置に嵌合穴８ａ、８ａが形成されている。
【００１７】
先方側小物入れ枠体６は、一対の扇形状側板部６ａ、６ａを有する。その一対の側板部６ａ、６ａの半径方向辺部には、側板部６ａ、６ａを連結すると共に蓋板として機能する蓋板部６ｂが設けられている。その蓋板部６ｂにはその扇形状の略中心部分に嵌合穴６ｃが形成されている。この嵌合穴６ｃは回動支持ピン１０に嵌合されている。その側板部６ａ、６ａにはその回動中心から遠い側であって蓋板部６ｂとは反対側の半径方向辺部に連結枠部６ｄが掛け渡されている。その連結枠部６ｄと蓋板部６ｂとは反対側の半径方向辺部と蓋板部６ｂとには伸縮性の布（例えば、ストッキング用材料の布）６ｅが張り付けられている。その一対の側板部６ａ、６ａと蓋板部６ｂと連結枠部６ｄとの間は小物の出し入れを行う小物出し入れ口６ｆとされている。
【００１８】
この蓋板部６ｂには開口８の段差部１ｂに対応して段差部６ｈが形成されている。この段差部１ｂと段差部６ｈとは互いに係合して蓋板部６ｂが下方に向かって脱落するのを防止する役割を果たす。なお、その蓋板部６ｂにはその段差部６ｈにその厚さ方向に突出する摘み部６ｇが形成されている。段差部１ｂ、凹所９にはこの摘み部６ｇの干渉を防止する挿入空間１ｄが形成されている。一対の側板部６ａ、６ａにはその連結枠部６ｄの近傍に互いに外側に向かって突出する係合ピン６ｊが形成されている。
【００１９】
ドリンクホルダー保持枠体７は、一対の扇形状の側板部７ａ、７ａと、円弧状に湾曲してこの一対の扇形状の側板部７ａ、７ａを連結する上板部７ｂとを有する。この上板部７ｂにはここではドリンクボトルを保持する保持開口７ｃ、７ｃが一対形成されているがこれに限るものではない。
【００２０】
その一対の側板部７ａ、７ａの円弧中心部には、嵌合穴７ｄ、７ｄが形成され、この嵌合穴７ｄ、７ｄは回動支持ピン１０に嵌合されている。ドリンクホルダー保持枠体７はその回動支持ピン１０を中心に回動される。
【００２１】
その一対の側板部７ａ、７ａの内面側には円弧状溝７ｅ、７ｅが形成されている。その円弧状溝７ｅ、７ｅには係合ピン６ｊが係合されている。その係合ピン６ｊと円弧状溝７ｅ、７ｅとはドリンクホルダー保持枠体７を先方側小物入れ枠体６の回動に連動して引き出すのに用いられる。
【００２２】
上板部７ｂには、その前方側の一側片部であってその中央部分に軸７ｆ’を中心に回動自在の係止片７ｆが形成されている。この係止片７ｆはドリンクホルダー保持枠体が前方側に傾いたときに自重により下方に垂れ下がるものとされ、この係止片７ｆは連結枠部５ｄに係合して、ドリンクホルダー保持枠体７の回動に連動して後方側小物入れ枠体５を引き出すのに用いられる。この係止片７ｆは連係解除手段としての機能も果たす。
【００２３】
この発明の実施の形態によれば、図７に示すように、摘み部６ｇを摘んで蓋板部６ｂを持ち上げると、先方側小物入れ枠体６がまず引き出される。ついで、係合ピン６ｊが円弧状溝７ｅの終端７ｅ’に係合するとこれに連動してドリンクホルダー枠体７が引き出される。ついで、係止片７ｆが連結枠部５ｄに係合すると、これに連動して後方側小物入れ枠体６が引き出される。底板部５ｂが開口８を構成する周壁の下部に位置すると、係合ピン５ｆがいったん没され、係合穴８ａに位置すると、係合ピン５ｆが係合穴８ａに係合される。この係合ピン５ｆと係合穴８ａとの係合力は引き出し、先方側小物入れ枠体６をセンターコンソール部１の内部に押込むの際の力に対しては解除できる程度の大きさとされ、ドリンクボトルを支持するには支承のない程度の大きさとする。
【００２４】
このようにして、図２、図８に示すように、半円弧状のドリンク用ホルダー装置がセンターコンソール部１に露呈される。ドリンクホルダー装置は小さな容量のドリンクボトルを保持したり、小物を入れたりしておく場合には、この状態で使用される。小物を入れた場合でも、先方側小物入れ枠体６には伸縮性の布６ｅが設けられて奥が塞がっているので、小物が脱落したり奥に入りすぎたりするのは防止される。
【００２５】
ついで、大きなドリンクボトルを保持したい場合には、ドリンクホルダー保持枠体７の回動自在の係止片７ｆを持ち上げて後方側小物入れ枠体５の連結枠部５と係止片７ｆとの係合を解除し、ドリンクホルダー保持枠体７を回動支持ピン１０を中心に先方側小物入れ枠体６の側に回動させる。これにより、ドリンクホルダー保持枠体７の上板部７ｂを小物入れ枠体６の上方を旋回させて矢印で示すように先方側小物入れ枠体６の側に倒すことができる。このように、ドリンクホルダー保持枠体７を先方側小物入れ枠体６の側に倒すと、図９に示すように先方側小物入れ枠体５と後方側小物入れ枠体６との間の空間１２が露呈される。この空間１２はドリンクボトルの容量とは別の容量の大きなドリンクボトルを載置して保持するのに用いられる。
【００２６】
ついで、ドリンク用ホルダー装置をセンターコンソール部１の内部に収納する場合には、摘み部６ｇを持ち上げて蓋板部６ｂを回動支持ピン１０を中心に回動させる。すると、先方側小物入れ枠体６とドリンクホルダー保持枠体７とが図９に示す状態のときには一緒に回動される。
【００２７】
ついで、ドリンクホルダー保持枠体７の係止片７ｆがその自重により下方に垂れ下がり、後方側小物入れ枠体５の底板部５ｂに突き当たり、係止片７ｆが持ち上げ方向に回動され、続いてドリンクホルダー保持枠体７の上辺部７ｂの回動方向後方側小物入れ枠体５側の側辺部が後方側小物入れ枠体５の底板部５ｂに突き当たり、所定以上の押し込み圧力が加わると、係合ピン５ｆと係合穴８ａとの係合が解除され、後方側小物入れ枠体５が回動支持ピン１０を中心にして下方に向かって回動される。
【００２８】
センタコンソール部１の内部にはその底壁にストッパ部材１１が立設され、後方側小物入れ枠体５の底板部５ｂはこのストッパ部材１１に衝合してその回動が停止される。先方側小物入れ枠体６を更に押し込むと、段差部６ｈが段差部１ｂに係合すると、図４に示すようにその回動が阻止される。
【００２９】
ドリンク用ホルダー装置を図２に示す状態で、押し込むときには、まず、先方側小物入れ枠体６が旋回され、ついで、蓋板部６ｂがドリンクホルダー枠体７の上板部７ｂの回動方向先方側小物入れ枠体６側の側辺部に係合し、これにより、ドリンクホルダー枠体７が旋回され、ついで、先に説明したと同様に後方側小物入れ枠体５が旋回される順で収納される。
【００３０】
以上、実施例について説明したが、図１０に部分的に拡大して示すように、後方側小物入れ枠体５の一対の側板部５ａの内面側であって、円弧状辺部に沿って円弧状の案内溝１２を形成し、この円弧状の案内溝１２に開閉用の蛇腹式のシャッター部材１３を設け、シャッター部材１３に摘み部１４をる構成としても良い。
【００３１】
このシャッター部材１３の長手方向両端には適宜弾性力を与えて案内溝１２とシャッター部材１３との間に摩擦力を与え、車両等の振動によりシャッター部材１３が案内溝１２の内方向に変位しない構成とするのが望ましい。この構成によれば、シャッタ材１３が存在するので、内部に入れた小物が飛び出すのを防止できる。このシャッター部材１３は先方側小物入れ枠体６の側に設ける構成とすることもできる。
【図面の簡単な説明】
【００３２】
【図１】本発明に係わるドリンク用ホルダー装置の閉じた状態を示す平面図である。
【図２】本発明に係わるドリンク用ホルダー装置の使用状態の一例を示す断面図である。
【図３】図２に示すドリンク用ホルダー装置の使用状態を示す斜視図である。
【図４】本発明に係わるドリンク用ホルダー装置の閉じた状態を示す断面図である。
【図５】本発明に係わるドリンク用ホルダー装置の分解斜視図である。
【図６】本発明に係わるドリンク用ホルダー装置のセンターコンソール部への取付け状態を説明するための図であって、（ａ）はドリンクホルダー保持枠体を回動支持ピンに支持させた状態を示す断面図、（ｂ）は後方側小物入れ枠体を回動支持ピンに支持させた状態を示す断面図、（ｃ）は先方側小物入れ枠体を回動支持ピンに支持させた状態を示す断面図である。
【図７】本発明に係わるドリンク用ホルダー装置を開く途中の状態を示す斜視図である。
【図８】図２に示すドリンク用ホルダー装置の使用状態を示す平面図である。
【図９】本発明に係わるドリンク用ホルダー装置の使用状態の他の例を示す断面図である。
【図１０】本発明に係わるドリンク用ホルダー装置の後方側小物入れ枠体の他の構造を示す斜視図である。
【符号の説明】
【００３３】
１…コンソール部
５…後方側小物入れ枠体
５ａ…側板部
５ｂ…底板部
６…先方側小物入れ枠体
６ａ…側板部
６ｂ…蓋板部
７…ドリンクホルダー保持枠体
７ａ…側板部
７ｂ…上板部
【図１】
2006036058.tif 000003
【図２】
2006036058.tif 000004
【図３】
2006036058.tif 000005
【図４】
2006036058.tif 000006
【図５】
2006036058.tif 000007
【図６】
2006036058.tif 000008
【図７】
2006036058.tif 000009
【図８】
2006036058.tif 000010
【図９】
2006036058.tif 000011
【図１０】
2006036058.tif 000012